(57)【要約】【課題】  本発明に係る電気機器の内開きドア装置によれば、内開きドアに対する閉方向付勢が、ばね体の作用によっているか、内開きドアの自重によっているか、ということに関係なく、部品点数の増加による組立作業の煩雑さやコスト高などを来さずに、内開きドアが開き過ぎたときに発生することのある衝突音を和らげる。【解決手段】  内開きドア１０の自由端部である他端部に緩衝片２０を連設する。回動支点の回りで内開きドア１０が上向きに開動されたときに、緩衝片２０が筐体１の天板構成部材に衝突することにより弾性変位して衝撃を吸収し、衝突に伴って発生する衝突音を和らげる。緩衝片２０は、内開きドア１０が天板構成部材に衝突することを阻止する作用を発揮する。【選択図】        図２
2008065870.tif 000002
【特許請求の範囲】
【請求項１】
電気機器筐体のフロントパネルの開口を開閉するための内開きドアを有する内開きドア装置において、
上記電気機器はその筐体に磁気テープ装置ユニットが内蔵されたＡＶ機器であり、横長の上記内開きドアを装備した上記開口が、上記磁気テープ装置ユニットに着脱される磁気テープカセットの挿抜口であり、
上記フロントパネルの裏面側での上記内開きドアの一端部の取付け箇所が上記内開きドアの回動支点に定められてその回動支点の回りで上記内開きドアが上向きに開動されたときに、上記筐体の天板構成部材に衝突することにより弾性変位してその衝突に伴って発生する衝突音を和らげると共に、上記内開きドアが上記天板構成部材に衝突することを阻止する緩衝片がその内開きドアに樹脂で一体成形されていて、
上記緩衝片が上記内開きドアの自由端部としての他端部でその横幅方向中央部に位置し、かつ、その緩衝片は、その起点が上記内開きドアの他端部に位置してその起点から湾曲状の曲り部を介して上記内開きドアの背面に沿ってその内開きドアの一端部に近づく方向に延び出てその先端が上記天板構成部材に衝突する当接部として形成されていることを特徴とする電気機器の内開きドア装置。
【請求項２】
電気機器筐体のフロントパネルの開口を開閉するための内開きドアを有する内開きドア装置において、
回動支点回りで上記内開きドアが開動されたときに、上記筐体の天板構成部材に衝突することにより弾性変位してその衝突に伴って発生する衝突音を和らげると共に、上記内開きドアが上記天板構成部材に衝突することを阻止する緩衝片がその内開きドアに樹脂で一体成形されていることを特徴とする電気機器の内開きドア装置。
【請求項３】
上記回動支点が上記内開きドアの一端部に定められているのに対し、上記緩衝片が、上記内開きドアの自由端部としての他端部に設けられている請求項２に記載した電気機器の内開きドア装置。
【請求項４】
横長の上記内開きドアの横幅方向中央部に上記緩衝片が位置している請求項３に記載した電気機器の内開きドア装置。
【請求項５】
上記緩衝片は、その起点が上記内開きドアの他端部に位置して上記内開きドアの背面に沿って折返し方向に延び出ている請求項３又は請求項４に記載した電気機器の内開きドア装置。
【請求項６】
上記緩衝片は、その先端が上記天板構成部材に衝突する当接部として形成されている請求項３ないし請求項５のいずれか１項に記載した電気機器の内開きドア装置。
【発明の詳細な説明】
【技術分野】
【０００１】
本発明は、磁気テープ装置ユニットが単体で筐体に収容されている電気機器、又は、磁気テープ装置ユニットと共にＤＶＤドライブユニットなどが筐体に収容されている複合機としての電気機器などに採用されている内開きドア装置に関する。
【背景技術】
【０００２】
図５は磁気テープ装置ユニットとＤＶＤドライブユニットとが１つの筐体に収容されている複合機としての電気機器の外観を概略で示した斜視図である。この電気機器は、偏平な箱形の筐体１のフロントパネル４に、上記磁気テープ装置ユニットに対応して磁気テープカセットの挿抜口とＤＶＤドライブユニットに対応してディスクトレイの出退口との２つの横長の開口２，３が横に並んでいて、磁気テープカセットの挿抜口としての開口２には内開きドア１０が装備されているのに対し、ディスクトレイの出退口としての開口３には外開きドア５０が装備されている。
【０００３】
図６は従来の上記内開きドアの構造を示した要部縦断側面図、図７及び図８は図６の内開きドアの構造についての問題点を示した要部縦断側面図である。
【０００４】
図６のように、横長の内開きドア１０は、その上端部に備わっている横軸１１が、筐体１のフロントパネル４とそのフロントパネル４の上端から延び出た縁枠上部５とによって形作られている上部入隅部のブラケット６に回転自在に取り付けられていると共に、その横軸１１に嵌合保持されているねじりコイルばねでなるばね体７の一端及び他端が上記縁枠上部５と内開きドア１０の背面とに弾接されてその内開きドア１０が開口２を塞ぐ閉方向に常時弾発付勢されている。
【０００５】
この構造の内開きドア装置にあっては、磁気テープカセットの出入れ時などに何らかの原因で内開きドア１０が開き過ぎるという事態が起こり得る。そして、そのような開き過ぎの状況が起こると、たとえば、図７のように内開きドア１０が上記縁枠上部５に一体に備わっている連結用舌片８に勢いよく当接して衝突音を発することがある。また、図８のように、上記縁枠上部５の近傍箇所に板金製のフレーム９が配備されているときには、内開きドア１０がそのフレーム９に勢いよく当接して衝突音を発することがある。そして、内開きドア１０の衝突音はユーザにとっては不快な音に感じることがあるので、そのような衝突音の発生は、可能なかぎり抑制しておくことが望まれる。
【０００６】
そこで、従来は、たとえば図８に例示したように、内開きドア１０が開き過ぎたときに当接する相手方部材（図８の場合はフレーム９、図７の場合は連結用舌片８が相当している）に不織布などのシート９ａを貼り付けておいて、内開きドア１０の衝突時の衝撃を緩和するという対策を講じることがあった。
【０００７】
ここで、上記した連結用舌片８や板金製のフレーム９は、上記縁枠上部５やその縁枠上部５に連結されるトップカバーなどと共に筐体１の天板部を構成する部材に属している。すなわち、筐体１に備わっている天板部１Ａ（図５参照）は、上記した連結用舌片８やフレーム９、縁枠上部及びトップカバーなどでなる天板部構成部材によって構成されている。
【０００８】
一方、従来、ＶＴＲ等の蓋体装置に関して、蓋体を閉じる方向に付勢しているトーションバネに変形部を設けておき、開蓋時には、蓋体が筐体の天部に当たる前にこの変形部が当たるようにして衝突音を和らげるという対策を講じることが提案されている（たとえば、特許文献１参照）。
【０００９】
また、カセットドアやカセットパック挿入口に関して、内開き式の蓋体をその自重によって閉方向に付勢するようにした技術が知られている（たとえば、特許文献２、特許文献３参照）。
【特許文献１】特開平８−６３９５１号公報
【特許文献２】特開２０００−１４９５３０号公報
【特許文献３】実開平７−３２７９１号公報
【発明の開示】
【発明が解決しようとする課題】
【００１０】
しかしながら、内開きドア１０が開き過ぎたときに発生する衝突音を和らげることのために、上掲の特許文献１のように、蓋体を閉じる方向に付勢しているトーションバネに変形部を形成しておくことは、トーションバネの成形加工コストを増加させることにつながるだけでなく、上掲の特許文献２や特許文献３に見られるような蓋体をその自重を利用して閉方向に付勢する形式のものでは、それがトーションバネを備えていないために適用することができない。
【００１１】
また、図８を参照して説明したように不織布などのシート９ａを利用して衝撃を緩和するという対策では、シート９ａが余分に必要になって、そのシート９ａをフレーム９などの上記相手方部材に貼着するのに手間がかかるという不便があった。
【００１２】
本発明は以上の状況の下でなされたものであり、内開きドアをばね体によって強制的に閉方向に常時付勢しているものであるか、内開きドアをその自重を利用して閉方向に付勢しているものであるか、ということに関係なく、内開きドアが開き過ぎても、内開きドアが天板部構成部材に当接することを防ぐことができ、しかも、内開きドアが開き過ぎたときに発生する衝突音を和らげることのできる電気機器の内開きドア装置を提供することを目的とする。
【００１３】
また、上記したシート９ａをなどの余分な部材を用いることなく内開きドアが開き過ぎたときに発生する衝突音を和らげることのできる対策を講じることによって、当該内開きドア装置の組立工程の煩雑化を回避することのできる電気機器の内開きドア装置を提供することを目的とする。
【課題を解決するための手段】
【００１４】
本発明に係る電気機器の内開きドア装置は、電気機器筐体のフロントパネルの開口を開閉するための内開きドアを有する内開きドア装置において、回動支点回りで上記内開きドアが開動されたときに、上記筐体の天板構成部材に衝突することにより弾性変位してその衝突に伴って発生する衝突音を和らげると共に、上記内開きドアが上記天板構成部材に衝突することを阻止する緩衝片がその内開きドアに樹脂で一体成形されている。
【００１５】
この構成であると、内開きドアが開き過ぎたときに、緩衝片が先に天板構成部材に衝突して内開きドアが天板構成部材に衝突することを阻止するので、内開きドアが天板構成部材に衝突することによる衝突音が発生する余地がなくなる。しかも、内開きドアが天板構成部材に衝突することを阻止する作用は、緩衝片が先に天板構成部材に衝突することによって発揮され、しかも、緩衝片は、天板構成部材に衝突することにより弾性変位してその衝突に伴って発生する衝突音を和らげる作用を発揮するので、ユーザが衝突音によって不快感を受けるという事態が抑制される。その上、上記緩衝片が内開きドアに樹脂で一体成形されていることにより、その内開きドアがばね体の付勢によって閉方向に付勢されているか、内開きドアの自重によって閉方向に付勢されているか、ということに関係なく、衝突音を和らげる作用が発揮される。
【００１６】
ところで、衝突音の発生を抑制するためには、その衝突音を和らげる作用を発揮する上記緩衝片といえども、天板構成部材との衝突が、できるだけ回避されるようになっていることが望ましい。そこで、内開きドアが開き過ぎた場合においても、緩衝片が天板部構成部材に衝突することを可能な限り避けるための対策として、本発明では、上記回動支点が上記内開きドアの一端部に定められているのに対し、上記緩衝片が、上記内開きドアの自由端部としての他端部に設けられている、という構成を採用している。この構成を採用すると、内開きドアが開いたときに緩衝片が天板部構成部材に衝突するタイミングを遅延させることかできるようになるので、内開きドアが開き過ぎた場合においても、可能な限り緩衝片が天板部構成部材に衝突することを避けることが可能になる。
【００１７】
本発明では、横長の上記内開きドアの横幅方向中央部に上記緩衝片が位置していることが望ましい。これによれば、緩衝片が天板部構成部材に衝突したときに内開きドアにねじり力などの無理な力が加わりにくくなって、樹脂製の内開きドアやその支軸の反り変形や破損が起こりにくくなる。
【００１８】
本発明において、上記緩衝片は、その起点が上記内開きドアの他端部に位置して上記内開きドアの背面に沿って折返し方向に延び出ていることが望ましい。この構成であると、緩衝片が内開きドアに覆い隠されてフロントパネルの開口の外側から見えなくなるので、緩衝片の作用で衝突音を和らげられるにもかかわらず、その緩衝片が見えることによって電気機器の外観が損なわれるという事態を生じない。
【００１９】
本発明において、上記緩衝片は、その先端が上記天板構成部材に衝突する当接部として形成されていることが望ましい。これによれば、緩衝片の弾性変形領域が可及的長くなって衝突音を和らげる作用が有効に発揮されることになる。
【００２０】
本発明に係る電気機器の内開きドア装置は、電気機器筐体のフロントパネルの開口を開閉するための内開きドアを有する内開きドア装置において、上記電気機器はその筐体に磁気テープ装置ユニットが内蔵されたＡＶ機器であり、横長の上記内開きドアを装備した上記開口が、上記磁気テープ装置ユニットに着脱される磁気テープカセットの挿抜口であり、上記フロントパネルの裏面側での上記内開きドアの一端部の取付け箇所が上記内開きドアの回動支点に定められてその回動支点の回りで上記内開きドアが上向きに開動されたときに、上記筐体の天板構成部材に衝突することにより弾性変位してその衝突に伴って発生する衝突音を和らげると共に、上記内開きドアが上記天板構成部材に衝突することを阻止する緩衝片が、その内開きドアに樹脂で一体成形されていて、上記緩衝片が上記内開きドアの自由端部としての他端部でその横幅方向中央部に位置し、かつ、その緩衝片は、その起点が上記内開きドアの他端部に位置してその起点から湾曲状の曲り部を介して上記内開きドアの背面に沿ってその内開きドアの一端部に近づく方向に延び出てその先端が上記天板構成部材に衝突する当接部として形成されている、という構成を採用することによっていっそう具体化される。この発明の作用などについては、後述する実施形態を参照して詳細に説明する。
【発明の効果】
【００２１】
以上のように、本発明に係る電気機器の内開きドア装置によれば、内開きドアに対する閉方向付勢が、ばね体の作用によっているか、内開きドアの自重によっているか、ということに関係なく、しかも、部品点数の増加による組立作業の煩雑さやコスト高などを来すことなく、内開きドアが開き過ぎたときに発生することのある衝突音が和らげられるようになるという効果が奏される。
【発明を実施するための最良の形態】
【００２２】
図１は本発明の実施形態に係る電気機器の内開きドア装置の構造を示した要部縦断側面図、図２は図１の内開きドア装置の作用を示した要部縦断側面図、図３は内開きドア１０の正面図である。
【００２３】
この実施形態は、図５を参照して説明した磁気テープ装置ユニットとＤＶＤドライブユニットとが１つの筐体に収容されている複合機としての電気機器についての内開きドア装置に相当している。そして、図３のように、内開きドア１０は横長の樹脂成形体でなり、その上端部に相当する一端部の幅方向両側と幅方向中央部とに同心状の支軸１１を一体に備えている。そして、それらの横軸１１が、筐体のフロントパネル４とそのフロントパネル４の上端から延び出た縁枠上部５とによって形作られている上部入隅部の幅方向３箇所に設けられているブラケット６に回転自在に取り付けられている。なお、図１及び図２では、３箇所の上記横軸１１のうちの幅方向一端側の横軸１１だけが示され、また、ブラケット６についても上記した上部入隅部の幅方向一端側のブラケット６だけが示されている。
【００２４】
また、横軸１１に嵌合保持されているねじりコイルばねでなるばね体７の一端及び他端が上記縁枠上部５と内開きドア１０の背面とに弾接されてその内開きドア１０が開口２を塞ぐ閉方向に常時弾発付勢されている。すなわち、この実施形態では、内開きドア１０がばね体７によって閉方向に常時弾発付勢されているという構成を備えている。１２は内開きドア１０の閉位置を規制するためにその内開きドア１０に一体成形されているストッパ部であり、内開きドア１０の閉位置では、図１のようにこのストッパ部１２がフロントパネル４の開口２の口縁に係止されるようになっている。
【００２５】
内開きドア１０はその一端部の上記支軸１１を回動支点として開閉揺動する。そして、その開閉揺動を行う際の自由端部としての他端部に、図１に示した緩衝片２０が樹脂で一体に成形されている。図例の緩衝片２０は、図３で判るように内開きドア１０の他端部でその横幅方向中央部に位置している。また、この緩衝片２０は、図１のように、その起点２１が内開きドア１０の他端部に位置してその起点２１から円弧状に形作られた湾曲状の曲り部２２を介して内開きドア１０の背面に沿ってその内開きドア１０の一端部に近づく方向（上方向）に延び出し、その先端に円形部（球状又は円柱状に形成されている）２３を有している。この緩衝片２０にあっては、その先端の円形部２３が、内開きドア１０が開き過ぎたときに天板構成部材に衝突する当接部として形成されている。
【００２６】
以上の構成であると、フロントパネル４の裏面側での内開きドア１０の一端部の取付け箇所、すなわちブラケット６に対する支軸１１の嵌合箇所によって形成されている回動支点の回りでその内開きドア１０が閉位置から上向きに開動されて内開きドア１０が開き過ぎたときには、図２のように天板部構成部材である連結用舌片８に緩衝片２０の先端の円形部２３が衝突してその緩衝片２０がその弾性に抗して弾性変位する。このため、衝突の衝撃を緩衝片２０が吸収して衝突音が和らげられる。このような衝突音を和らげるという緩衝片２０の作用は、緩衝片２０が内開きドア１０に一体成形された樹脂製であることにより、それが板金製である場合よりも顕著に発揮される。また、緩衝片２０が連結用舌片８に当接することによって、内開きドア１０が直接にの連結用舌片８やその他の天板部構成部材と衝突することが回避されるため、内開きドア１０が直接に天板部構成部材と衝突することによる衝突音は発生する余地がない。
【００２７】
特に、緩衝片２０を上記の形状に形成したことにより、その緩衝片２０をそれほど薄肉に成形していなくても、曲り部２２が好適な弾性を発揮して衝突音を和らげる作用を発揮する。そのため、緩衝片２０を薄肉に成形することによって起こり得る成形の困難性や緩衝片２０の樹脂材料の劣化や軟化に起因する垂下りなどの不都合を生じるおそれがなくなるという利点がある。
【００２８】
この実施形態では、緩衝片２０が天板部構成部材の連結用舌片部８と衝突する事例を説明したけれども、天板部構成部材は、その連結用舌片部８だけでなく、板金製のフレーム９やトップカバー（不図示）などを含んでいる。そして、内開きドア１０のサイズによっては、その自由端部である他端部に連設した緩衝片２０がフレーム９やトップカバー（不図示）などに衝突することも考えられるけれども、それらの場合でも、同様に衝突音を和らげる作用が発揮される。
【００２９】
図４は内開きドア１０の変形例を示している。この内開きドア１０は、その他端部に連設されている緩衝片２０が、その先端を含めて弾性を有する板片状に形成されている。この緩衝片２０では、その先端が上記天板構成部材に衝突する当接部として形成されている。このような緩衝片２０を採用することによっても、上記した衝突音を和らげる作用が発揮される。
【００３０】
以上では、複合機としての電気機器に採用されている内開きドア装置を説明したけれども、本発明に係る内開きドア装置は、磁気テープ装置ユニットが単体で筐体に収容されている電気機器に対しても適用することができること、勿論である。
【図面の簡単な説明】
【００３１】
【図１】本発明の実施形態に係る電気機器の内開きドア装置の構造を示した要部縦断側面図である。
【図２】図１の内開きドア装置の作用を示した要部縦断側面図である。
【図３】内開きドアの正面図である。
【図４】内開きドアの変形例を示した縦断側面図である。
【図５】電気機器の外観を概略で示した斜視図である。
【図６】従来の内開きドアの構造を示した要部縦断側面図である。
【図７】図６の内開きドアの構造についての問題点を示した要部縦断側面図である。
【図８】図６の内開きドアの構造についての同様の問題点を示した要部縦断側面図である。
【符号の説明】
【００３２】
１  筐体
２  開口
４  フロントパネル
５  縁枠上部（天板構成部材）
８  連結用舌片部（天板構成部材）
９  フレーム（（天板構成部材）
１０  内開きドア
２０  緩衝片
２１  緩衝片の起点
２２  緩衝片の曲り部
２３  円形部（当接部）
【図１】
2008065870.tif 000003
【図２】
2008065870.tif 000004
【図３】
2008065870.tif 000005
【図４】
2008065870.tif 000006
【図５】
2008065870.tif 000007
【図６】
2008065870.tif 000008
【図７】
2008065870.tif 000009
【図８】
2008065870.tif 000010